(57)【特許請求の範囲】
【請求項１】
第１の主面及び第２の主面を有する透明板と、
原稿が前記透明板に向かって突出するように該原稿を湾曲させた状態で前記第１の主面上を通過するように該原稿を搬送する搬送手段と、
前記第２の主面に対向し、かつ、前記第１の主面上の読み取り位置を通過する前記原稿を読み取る読み取り手段と、
前記第１の主面上において、前記読み取り位置よりも前記原稿の搬送方向の上流側に段差を形成する段差部材と、
前記原稿の読み取り時における前記段差と前記読み取り位置との前記搬送方向の距離を調整するための調整手段と、
前記調整手段を動作させる駆動手段と、
前記原稿の腰の強さに関する情報を取得する情報取得手段と、
前記情報に基づいて、前記原稿の腰が強くなるにしたがって、前記段差と前記読み取り位置との前記搬送方向における距離が小さくなるように、前記駆動手段に前記調整手段を動作させる制御部と、
を備えていること、
を特徴とする画像読み取り装置。
【請求項２】
前記読み取り手段は、コンタンクトイメージセンサー方式によって、前記原稿を読み取ること、
を特徴とする請求項１に記載の画像読み取り装置。
【請求項３】
前記調整手段は、前記段差部材を前記搬送方向に移動させる機構であること、
を特徴とする請求項１又は請求項２のいずれかに記載の画像読み取り装置。
【発明の詳細な説明】
【技術分野】
【０００１】
本発明は、画像読み取り装置に関し、特に、搬送されてくる原稿を読み取り位置において読み取る画像読み取り装置に関する。
【背景技術】
【０００２】
従来の画像読み取り装置としては、例えば、特許文献１に記載の原稿読取装置が知られている。特許文献１に記載の原稿読取装置では、読取ガラスの表面上を通過する原稿を、読取ガラスの読取位置において読取センサにより読み取りガラスの裏面側から読み取っている。そして、読取ガラスの表面上であって、読取位置より原稿の搬送方向の上流側には、段差部材が配置されている。これにより、原稿読取装置では、原稿が読取ガラスに接触することを防止し、原稿から読取ガラスに汚れが付着することを防止している。
【０００３】
ところで、特許文献１に記載の原稿読取装置は、ＣＣＤ（Ｃｈａｒｇｅ  Ｃｏｕｐｌｅｄ  Ｄｅｖｉｃｅｓ）方式によって、原稿を読み取っている。ＣＣＤ方式では、高速で原稿を読み取ることができるなどの利点がある。その一方で、ＣＣＤ方式では、センサの前に配置されるレンズの焦点距離が長いため、光路を折り返すためのミラーが必要となる。その結果、ＣＣＤ方式では、原稿読取装置が大型化するという欠点がある。これに対して、ＣＩＳ（Ｃｏｎｔａｃｔ  Ｉｍａｇｅ  Ｓｅｎｓｏｒ）方式が知られている。ＣＩＳ方式が採用された画像読み取り装置では、例えば、ＣＭＯＳがセンサとして用いられる。ＣＩＳ方式では、センサの前に配置されるレンズの焦点距離が短いため、ミラーが不要となり、画像読み取り装置を小型化できるという利点がある。
【０００４】
しかしながら、ＣＩＳ方式が採用された画像読み取り装置は、焦点深度が浅いため、原稿とセンサとの距離がわずかにずれただけで、ピントがずれてしまうという問題を有する。例えば、画像読み取り装置の製造ばらつきによって、センサやレンズ等の取り付け位置がわずかにずれただけでも、読み取った画像にピンぼけが発生してしまう。
【先行技術文献】
【特許文献】
【０００５】
【特許文献１】特開２００３−９２６６２号公報
【発明の概要】
【発明が解決しようとする課題】
【０００６】
そこで、本発明の目的は、読み取った画像にピンぼけが発生することを抑制できる画像読み取り装置を提供することである。
【課題を解決するための手段】
【０００７】
本発明の一形態に係る画像読み取り装置は、第１の主面及び第２の主面を有する透明板と、原稿が前記透明板に向かって突出するように該原稿を湾曲させた状態で前記第１の主面上を通過するように該原稿を搬送する搬送手段と、前記第２の主面に対向し、かつ、前記第１の主面上の読み取り位置を通過する前記原稿を読み取る読み取り手段と、前記第１の主面上において、前記読み取り位置よりも前記原稿の搬送方向の上流側に段差を形成する段差部材と、前記原稿の読み取り時における前記段差と前記読み取り位置との前記搬送方向の距離を調整するための調整手段と、前記調整手段を動作させる駆動手段と、前記原稿の腰の強さに関する情報を取得する情報取得手段と、前記情報に基づいて、前記原稿の腰が強くなるにしたがって、前記段差と前記読み取り位置との前記搬送方向における距離が小さくなるように、前記駆動手段に前記調整手段を動作させる制御部と、を備えていること、を特徴とする。
【発明の効果】
【０００８】
本発明によれば、読み取った画像にピンぼけが発生することを抑制できる。
【図面の簡単な説明】
【０００９】
【図１】画像読み取り装置の全体構成を示した図である。
【図２】読み取りユニット及びその周辺の拡大図である。
【図３】図２の読み取りユニットのＸ−Ｘにおける断面構造図である。
【図４】読み取り位置を通過する原稿の拡大図である。
【図５】第１の変形例に係る画像読み取り装置の読み取りユニットの断面構造図である。
【図６】読み取り位置を通過する原稿の拡大図である。
【図７】読み取りユニット及びその周辺の拡大図である。
【図８】第２の変形例に係る画像読み取り装置の読み取りユニットの断面構造図である。
【発明を実施するための形態】
【００１０】
（画像読み取り装置の構成）
以下に、本発明の一形態に係る画像読み取り装置１０の構成について図面を参照しながら説明する。図１は、画像読み取り装置１０，１０ａ，１０ｂの全体構成を示した図である。
【００１１】
画像読み取り装置１０は、プラテンガラス上をＡＤＦ（Ａｕｔｏ  Ｄｏｃｕｍｅｎｔ  Ｆｅｅｄｅｒ）機構により原稿を通過させて読み取る装置である。画像読み取り装置１０は、図１に示すように、制御部１１、ピックアップローラ１２、給紙ローラ１４、搬送ローラ対１６，１８，２０，２４，２６、排紙ローラ２８、読み取りユニット３０，３２、ローラ３４，３６、ガイドＧ、トレイＴ１，Ｔ２及びセンサＳｅｎを備えている。
【００１２】
トレイＴ１上には、読み取り前の原稿Ｐが積載される。トレイＴ１は、右端を中心として左端が上下に揺動することができる。具体的には、原稿ＰがトレイＴ１から取り出されない場合には、トレイＴ１の左端は、図１に示すように、下方に位置している。一方、原稿ＰがトレイＴ１から取り出される際には、トレイＴ１の左端が上昇する。以下では、トレイＴ１に積載された状態において、上側に位置する原稿Ｐの主面を表面と呼び、下側に位置する原稿Ｐの主面を裏面と呼ぶ。
【００１３】
ガイドＧは、画像読み取り装置１０において複数設けられており、原稿Ｐの搬送路Ｒを構成している部材である。図１では、代表的なガイドＧにのみ参照符号を付してある。搬送路Ｒは、Ｕ字を時計回りに９０度回転させた形状をなしている。
【００１４】
ピックアップローラ１２は、搬送路Ｒの上流端に設けられており、トレイＴ１上の原稿Ｐを一枚ずつ取り出して、搬送路Ｒ内に送り込む。より詳細には、原稿Ｐの読み取りが行われる際には、トレイＴ１の左端が上昇する。これにより、トレイＴ１上に積載されている複数の原稿Ｐの内の最も上側に位置する原稿Ｐにピックアップローラ１２が接触する。ピックアップローラ１２は、図示しない動力源により回転させられている。これにより、原稿Ｐは、ピックアップローラ１２により搬送路Ｒ内へと送り込まれる。
【００１５】
給紙ローラ１４及び搬送ローラ対１６，１８，２０，２４，２６はそれぞれ、搬送路Ｒを挟む１対のローラにより構成されている。給紙ローラ１４及び搬送ローラ対１６，１８，２０，２４，２６は、搬送路Ｒ上においてこの順に並ぶように設けられており、原稿Ｐを搬送路Ｒに沿って搬送する。
【００１６】
読み取りユニット３０は、搬送路Ｒの読み取り位置Ａ１において、該読み取り位置Ａ１を通過する原稿Ｐの表面を読み取る。読み取り位置Ａ１は、搬送ローラ対２０と搬送ローラ対２４との間に位置している。読み取りユニット３０は、ＣＣＤ方式によって、原稿Ｐの表面を読み取る。なお、読み取りユニット３０の構成は、一般的な構成であるので、これ以上の詳細な説明を省略する。
【００１７】
ローラ３４は、読み取り位置Ａ１において、搬送路Ｒを挟んで読み取りユニット３０と対向している。ローラ３４の下半分は、白色の円柱である。ローラ３４の上半分には、ブラシが設けられている。ローラ３４の下半分は、読み取りユニット３０が原稿Ｐの表面を読み取る際にシェーディング補正を行うために用いられる。ローラ３４の上半分は、読み取りユニット３０の読み取り位置Ａ１を清掃するために用いられる。
【００１８】
読み取りユニット３２は、搬送路Ｒの読み取り位置Ａ２において、該読み取り位置Ａ２を通過する原稿Ｐの裏面を読み取る。読み取り位置Ａ２は、搬送ローラ対２４と搬送ローラ対２６との間に位置している。読み取りユニット３０は、ＣＩＳ方式によって、原稿Ｐの裏面を読み取る。図２は、読み取りユニット３２及びその周辺の拡大図である。図３は、図２の読み取りユニット３２のＸ−Ｘにおける断面構造図である。図２において、読み取りユニット３２下において原稿Ｐが搬送される方向をｘ軸方向と定義する。また、水平方向であって、かつ、ｘ軸方向に直交する方向をｙ軸方向と定義する。また、ｘ軸方向とｙ軸方向とに直交する方向をｚ軸方向と定義する。
【００１９】
読み取りユニット３２は、搬送ローラ対２４により搬送されてきた原稿Ｐの裏面を読み取り、図２に示すように、本体４０、センサ４１、レンズ４２、光源４４ａ，４４ｂ、ガラス（透明板）４６、段差部材５０及び調整機構５２を含んでいる。
【００２０】
本体４０は、図２に示すように、搬送路Ｒよりもｚ軸方向の正方向側に設けられており、ｚ軸方向の負方向側の面が開口した箱状をなしている。本体４０は、センサ４１、レンズ４２及び光源４４ａ，４４ｂを収容している。
【００２１】
ガラス４６は、図２に示すように、本体４０のｚ軸方向の負方向側の開口を塞ぐ透明板であり、主面Ｓ１，Ｓ２を有している。主面Ｓ１は、ｚ軸方向の負方向側に位置する面であり、主面Ｓ２は、ｚ軸方向の正方向側に位置する面である。
【００２２】
搬送ローラ対２４は、図２に示すように、主面Ｓ１上を通過するように原稿Ｐを搬送する。搬送ローラ対２６は、主面Ｓ１上を通過した原稿ＰをトレイＴ２へと搬送する。搬送ローラ対２４と搬送ローラ対２６との間の搬送路Ｒは、図２に示すように、ｚ軸方向の正方向側に突出するように湾曲している。これにより、搬送ローラ対２４，２６は、原稿Ｐがガラス４６に向かって突出するように原稿Ｐを湾曲させた状態で搬送する。原稿Ｐは、読み取り位置Ａ２においてガラス４６に最も近づくように湾曲する。
【００２３】
光源４４ａ，４４ｂは、図２に示すように、本体４０内に設けられており、主面Ｓ１上の読み取り位置Ａ２に向かって光を放射する。レンズ４２は、等倍レンズであり、光源４４ａ，４４ｂが放射した光であって、原稿Ｐにおいて反射した光を集光する。
【００２４】
センサ４１は、図２に示すように、ガラス４６よりもｚ軸方向の正方向側に設けられることにより主面Ｓ２に対向し、かつ、主面Ｓ１上の読み取り位置Ａ２を通過する原稿Ｐを読み取る受光素子（例えば、ＣＭＯＳ）である。より詳細には、センサ４１は、本体４０の内周面の内のｚ軸方向の正方向側に位置する内周面に取り付けられている。すなわち、センサ４１は、レンズ４２よりもｚ軸方向の正方向側に設けられている。これにより、レンズ４２を通過した光は、センサ４１の受光面に集光する。このように、センサ４１は、ＣＩＳ（コンタクトイメージセンサー）方式により原稿Ｐの裏面を読み取る。
【００２５】
ローラ３６は、図２に示すように、読み取り位置Ａ２において、搬送路Ｒを挟んで読み取りユニット３２と対向している。ローラ３６の上半分は、白色の円柱である。ローラ３６の下半分には、ブラシが設けられている。ローラ３６の上半分は、読み取りユニット３２が原稿Ｐの裏面を読み取る際にシェーディング補正を行うために用いられる。ローラ３６の下半分は、読み取りユニット３２のガラス４６の主面Ｓ１を清掃するために用いられる。
【００２６】
段差部材５０は、主面Ｓ１上を通過する原稿Ｐ上の汚れが主面Ｓ１への接触により主面Ｓ１に付着することを防止するために設けられており、図２に示すように、主面Ｓ１上において、読み取り位置Ａ２よりも原稿Ｐの搬送方向の上流側（すなわち、ｘ軸方向の負方向側）に段差５１を形成するシートである。より詳細には、段差部材５０は、所定の厚さを有しており、主面Ｓ３，Ｓ４を有している。主面Ｓ３は、ｚ軸方向の負方向側に位置しており、搬送路Ｒに面している。主面Ｓ４は、ｚ軸方向の正方向側に位置しており、ガラス４６に面している。そして、主面Ｓ３は、主面Ｓ１よりも、段差部材５０の厚みの分だけｚ軸方向の負方向側に位置している。これにより、ガラス４６の主面Ｓ１上には、段差５１が形成されている。段差５１が形成されることにより、ｚ軸方向の正方向側に突出するように湾曲している原稿Ｐは、段差５１に接触するようになる。そして、原稿Ｐは、段差５１によりｚ軸方向の負方向側に押さえつけられて、主面Ｓ３よりもｚ軸方向の正方向側に大きくはみ出すことがなくなり、ガラス４６に接触しなくなる。
【００２７】
調整機構５２は、原稿Ｐの読み取り時における段差５１と読み取り位置Ａ２との搬送方向（すなわち、ｘ軸方向）の距離を調整する。画像読み取り装置１０では、調整機構５２は、段差部材５０をｘ軸方向に移動させる機構である。調整機構５２は、図２及び図３に示すように、ホルダ５４、ガイドピン５６ａ，５６ｂ，５８ａ，５８ｂ、レール６０，６２及び螺子６３により構成されている。なお、図３には、画像読み取り装置１０の筐体１００，１０２も示されている。また、図２及び図３では、ガイドピン５８ｂは、影に隠れているので示されていない。
【００２８】
ホルダ５４は、図３に示すように、ｘ軸方向の負方向側から平面視したときに、ｚ軸方向の正方向側が開口しているコ字型の断面形状を有する部材である。より詳細には、ホルダ５４は、底面部５４ａ、側面部５４ｂ，５４ｃ及び固定部５４ｄからなる。底面部５４ａは、読み取りユニット３２のｚ軸方向の負方向側に位置し、ｙ軸方向に延在する長方形状の板である。そして、底面部５４ａのｙ軸方向の両端は、読み取りユニット３２からはみ出している。また、底面部５４ａのｚ軸方向の負方向側の主面には、段差部材５０が取り付けられている。
【００２９】
側面部５４ｂ，５４ｃはそれぞれ、底面部５４ａの、ｙ軸方向の正方向側の端部及びｙ軸方向の負方向側の端部に接続されており、ｚ軸方向の正方向側に向かって延在している。固定部５４ｄは、側面部５４ｂのｚ軸方向の正方向側の端部に接続されており、側面部５４ｂよりもｙ軸方向の正方向側に位置している。固定部５４ｄについては後述する。
【００３０】
ガイドピン５６ａ，５６ｂは、図２及び図３に示すように、側面部５４ｂからｙ軸方向の正方向側に向かって突出している。ガイドピン５６ａは、図２に示すように、ガイドピン５６ｂよりもｘ軸方向の正方向側に位置している。
【００３１】
ガイドピン５８ａ，５８ｂは、図２及び図３に示すように、側面部５４ｃからｙ軸方向の負方向側に向かって突出している。ガイドピン５８ａは、ガイドピン５８ｂよりもｘ軸方向の正方向側に位置している。
【００３２】
レール６０は、筐体１００に取り付けられており、ｘ軸方向に延在する２本の平行なレール部材により構成されている。ガイドピン５６ａ，５６ｂは、レール６０を構成している２本のレール部材間に挿入される。レール６２は、筐体１００に取り付けられており、ｘ軸方向に延在する２本の平行なレール部材により構成されている。ガイドピン５８ａ，５８ｂは、レール６２を構成している２本のレール部材間に挿入される。これにより、ガイドピン５６ａ，５６ｂ，５８ａ，５８ｂは、レール６０，６２に沿ってｘ軸方向にスライドすることができる。よって、ホルダ５４及び段差部材５０は、ｘ軸方向にスライドすることができる。その結果、調整機構５２は、原稿Ｐの読み取り時における段差５１と読み取り位置Ａ２との搬送方向（すなわち、ｘ軸方向）の距離を調整することが可能である。
【００３３】
螺子６３は、固定部５４ｄを筐体１００に固定する。これにより、ホルダ５４は、画像読み取り装置１０に対して固定され、段差部材５０が、画像読み取り装置１０に対して固定される。
【００３４】
排紙ローラ２８は、搬送ローラ対２６により搬送されてきた原稿ＰをトレイＴ２へと出力する。トレイＴ２には、画像が読み取られた原稿Ｐが積載される。
【００３５】
センサＳｅｎは、搬送路Ｒにおいて搬送ローラ対１６と搬送ローラ対１８との間に設けられ、原稿Ｐの腰の強さに関する情報を取得する。画像読み取り装置１０では、センサＳｅｎは、原稿Ｐの厚さに関する情報を取得している。なお、センサＳｅｎは、本実施形態に係る画像読み取り装置１０では特に利用されることはないが、後述する変形例に係る画像形成装置１０ｂにおいて利用される。
【００３６】
以上のように構成された画像読み取り装置１０では、例えば、読み取りユニット３２の製造ばらつきによって焦点位置がずれた場合及び画像読み取り装置１０に製造がばらつき生じた場合などによって、センサ４１の搭載位置がわずかにずれたときには、センサ４１と原稿Ｐとの距離が所望の距離から変動し、読み取った画像にピンぼけが発生してしまう。そこで、画像読み取り装置１０では、画像読み取り装置１０の組み立て者が、以下に説明する調整を行う。
【００３７】
組み立て者は、読み取った画像にピンぼけが発生する場合には、調整機構５２により、段差５１をｘ軸方向に移動させる。具体的には、組み立て者は、センサ４１と原稿Ｐとの距離が画像のピントが合う所定距離よりも短い場合には、原稿Ｐが主面Ｓ１から遠ざかるように、段差５１を移動させる。すなわち、組み立て者は、ホルダ５４をｘ軸方向の正方向側に移動させた後、螺子６３によりホルダ５４を筐体１００に固定する。一方、組み立て者は、センサ４１と原稿Ｐとの距離が画像のピントが合う所定距離よりも長い場合には、原稿Ｐが主面Ｓ１から近づくように、段差５１を移動させる。すなわち、組み立て者は、ホルダ５４をｘ軸方向の負方向側に移動させた後、螺子６３によりホルダ５４を筐体１００に固定する。
【００３８】
（効果）
本実施形態に係る画像読み取り装置１０によれば、読み取った画像にピンぼけが発生することを抑制できる。図４は、読み取り位置Ａ２を通過する原稿Ｐの拡大図である。図４（ａ）における段差５１は、図４（ｂ）における段差５１よりもｘ軸方向の負方向側に位置している。
【００３９】
ＣＩＳ方式が採用された画像読み取り装置は、焦点深度が浅いため、原稿とセンサとの距離がわずかにずれただけで、ピントがずれてしまうという問題を有する。例えば、画像読み取り装置の製造ばらつきによって、センサの取り付け位置がわずかにずれただけでも、読み取った画像にピンぼけが発生してしまう。
【００４０】
そこで、画像読み取り装置１０では、調整機構５２が設けられている。調整機構５２は、原稿Ｐの読み取り時における段差５１と読み取り位置Ａ２とのｘ軸方向における距離を調整するための機構である。具体的には、調整機構５２は、図４に示すように、段差部材５０をｘ軸方向に移動させることによって、段差５１をｘ軸方向に移動させる。そして、図４（ａ）に示すように、段差５１が相対的にｘ軸方向の負方向側に位置している場合には、原稿Ｐは、段差５１よりもｘ軸方向の正方向側において相対的に大きく撓む。そのため、原稿Ｐと主面Ｓ１との距離が相対的に短くなる。一方、図４（ｂ）に示すように、段差５１が相対的にｘ軸方向の正方向側に位置している場合には、原稿Ｐは、段差５１よりもｘ軸方向の正方向側において相対的に小さく撓む。そのため、原稿Ｐと主面Ｓ１との距離が相対的に大きくなる。
【００４１】
以上のように、調整機構５２により段差５１を移動させることにより、読み取り位置Ａ１における原稿Ｐのｚ軸方向の位置を移動させることができる。よって、画像読み取り装置１０では、センサ４１と原稿Ｐとの距離を適切な距離に調整することができる。その結果、画像読み取り装置１０では、読み取った画像にピンぼけが発生することを抑制できる。
【００４２】
（第１の変形例）
次に、第１の変形例に係る画像読み取り装置１０ａについて図面を参照しながら説明する。図５は、第１の変形例に係る画像読み取り装置１０ａの読み取りユニット３２ａの断面構造図である。なお、画像読み取り装置１０ａの構成図は、図１を援用する。
【００４３】
画像読み取り装置１０ａでは、調整機構５２ａは、以下に説明するように、画像読み取り装置１０ａの外部から操作可能に構成されている。画像読み取り装置１０ａでは、筐体１００のｙ軸方向の正方向側に外板１０４が設けられている。外板１０４は、画像読み取り装置１０ａの表面を構成しているパネルである。
【００４４】
調整機構５２ａは、図５に示すように、レバー７０を更に備えている。レバー７０は、ホルダ５４の側面部５４ａからｙ軸方向の正方向側に向かって延在しており、筐体１００及び外板１０４を貫通して、画像読み取り装置１０外に突出している。これにより、レバー７０をｘ軸方向にスライドさせることにより、ホルダ５４をｘ軸方向にスライドさせることが可能である。
【００４５】
また、画像読み取り装置１０ａにおいて、螺子６３は、画像読み取り装置１０ａ外から、ホルダ５４を外板１０４及び筐体１００に固定している。このように、画像読み取り装置１０ａでは、画像読み取り装置１０ａの外部から調整機構５２ａを操作することができると共に、画像読み取り装置１０ａの外部からホルダ５４を固定することができる。
【００４６】
第１の変形例に係る画像読み取り装置１０ａによれば、画像読み取り装置１０と同様に、画像読み取り装置１０ａの製造ばらつきに起因するピンぼけの発生を抑制できる。
【００４７】
また、画像読み取り装置１０ａによれば、原稿Ｐの腰の強さが変化することによって、読み取った画像にピンぼけが発生することを抑制できる。図６は、読み取り位置Ａ２を通過する原稿Ｐａ，Ｐｂの拡大図である。図６（ａ）における段差５１は、図６（ｂ）における段差５１よりもｘ軸方向の負方向側に位置している。
【００４８】
原稿Ｐａは、相対的に腰の強い原稿であり、例えば、厚紙等である。原稿Ｐｂは、相対的に腰の弱い原稿であり、例えば、普通紙等である。図６（ａ）に示すように、原稿Ｐａは、相対的に腰が強いため、段差５１に接触しているにもかかわらず、段差５１よりもｘ軸方向の正方向側において相対的に大きく撓む。そのため、原稿Ｐａと主面Ｓ１との距離が相対的に短くなる。一方、図６（ｂ）に示すように、原稿Ｐｂは、相対的に腰が弱いため、段差５１により押さえつけられて、段差５１よりもｘ軸方向の正方向側において相対的に小さくしか撓まない。そのため、原稿Ｐｂと主面Ｓ１との距離が相対的に大きくなる。このように、原稿Ｐａ，Ｐｂの腰の強さによって、原稿Ｐａ，Ｐｂと主面Ｓ１との距離が変動する。その結果、画像読み取り装置１０ａでは、原稿Ｐａ，Ｐｂのいずれか一方において、読み取った画像にピンぼけが発生する。以下では、原稿Ｐａにおいて、読み取った画像にピンぼけが発生するものとする。
【００４９】
そこで、画像読み取り装置１０ａでは、調整機構５２ａは、画像読み取り装置１０ａの外部から操作可能に構成されている。そのため、ユーザは、図６（ｂ）に示すように、厚紙原稿使用時にはレバー７０をｘ軸方向の正方向側に移動させることによって、段差５１をｘ軸方向の正方向側に移動させればよい。これにより、図６（ｂ）に示すように、原稿Ｐａと主面Ｓ１との距離は、原稿Ｐｂと主面Ｓ１との距離に近づく。その結果、原稿Ｐａにおいて、読み取った画像にピンぼけが発生することが抑制される。
【００５０】
（第２の変形例）
次に、第２の変形例に係る画像読み取り装置１０ｂについて図面を参照しながら説明する。図７は、読み取りユニット３２ｂ及びその周辺の拡大図である。図８は、第２の変形例に係る画像読み取り装置１０ｂの読み取りユニット３２ｂの断面構造図である。なお、画像読み取り装置１０ｂの構成図は、図１を援用する。
【００５１】
画像読み取り装置１０ｂの読み取りユニット３２ｂは、図７及び図８に示すように、モーター８０及びピニオンギア８２を更に備えている。また、調整機構５２ｂは、図７及び図８に示すように、ラックギア８４を備えている。
【００５２】
モーター８０及びピニオンギア８２は、調整機構５２ｂを動作させる駆動手段である。モーター８０は、図８に示すように、筐体１０２に取り付けられている。ピニオンギア８２は、モーター８０のシャフトの先端に取り付けられている。
【００５３】
ラックギア８４は、図７及び図８に示すように、ホルダ５４の側面部５４ｃのｚ軸方向の正方向側の端部に取り付けられており、ｘ軸方向に延在している。そして、ピニオンギア８２とラックギア８４とラックギアは、互いにかみ合うことにより、ラックアンドピニオンを構成している。これにより、モーター８０が駆動することにより、ピニオンギア８２が回転し、ラックギア８４がｘ軸方向に移動する。これに伴って、ホルダ５４がｘ軸方向に移動し、段差部材５０がｘ軸方向に移動する。
【００５４】
次に、画像読み取り装置１０ｂの動作について説明する。画像読み取り装置１０ｂでは、センサＳｅｎは、原稿Ｐの腰の強さに関する情報（原稿Ｐが厚紙であるのか又は普通紙であるのかの情報）を取得する。制御部１１は、センサＳｅｎが取得した情報に基づいて、モーター８０に調整機構５２ｂを動作させる。具体的には、制御部１１は、原稿Ｐの腰が強くなるにしたがって、段差５１と読み取り位置Ａ１とのｘ軸方向における距離が小さくなるように、モーター８０に調整機構５２ｂを動作させる。例えば、制御部１１は、原稿Ｐが普通紙である場合には、段差５１を基準となる位置からｘ軸方向の正方向側に距離Ｌ１だけ移動させる。一方、制御部１１は、原稿Ｐが厚紙である場合には、段差５１を基準となる位置からｘ軸方向の正方向側に距離Ｌ２（＞Ｌ１）だけ移動させる。これにより、原稿読取装置１０ｂでは、読み取った画像にピンぼけが発生することが自動的に抑制される。なお、画像形成装置１０ｂでは、原稿Ｐの腰の強さに関する情報に応じて、段差５１の移動距離が多段階で調整されてもよい。
【００５５】
なお、画像読み取り装置１０ｂでは、制御部１１は、原稿Ｐの腰の強さに関する情報（原稿Ｐが厚紙であるのか又は普通紙であるのかの情報）をセンサＳｅｎから取得しているが、例えば、操作パネルを介して原稿Ｐの種類をユーザが入力することによって、該情報を取得してもよい。
【００５６】
また、画像読み取り装置１０，１０ａ，１０ｂにおいて、調整機構５２，５２ａ，５２ｂは、段差部材５０をｘ軸方向に移動させているが、センサ４１をｘ軸方向に移動させてもよい。センサ４１がｘ軸方向が移動することによって、読み取り位置Ａ２がｘ軸方向に移動し、原稿Ｐの読み取り時における段差５１と読み取り位置Ａ２とのｘ軸方向の距離が調整される。
【産業上の利用可能性】
【００５７】
本発明は、画像読み取り装置に有用であり、特に、読み取った画像にピンぼけが発生することを抑制できる点において優れている。
【符号の説明】
【００５８】
Ａ２  読み取り位置
Ｓ１，Ｓ２  主面
Ｓｅｎ  センサ
１０，１０ａ，１０ｂ  画像読み取り装置
１１  制御部
１４  給紙ローラ
１６，１８，２０，２４，２６  搬送ローラ対
３０，３２，３２ａ，３２ｂ  読み取りユニット
４０  本体
４１  センサ
４２  レンズ
４４ａ，４４ｂ  光源
４６  ガラス
５０  段差部材
５１  段差
５２，５２ａ，５２ｂ  調整機構
７０  レバー
８０  モーター
【図１】
0005472172.tif 000002
【図２】
0005472172.tif 000003
【図３】
0005472172.tif 000004
【図４】
0005472172.tif 000005
【図５】
0005472172.tif 000006
【図６】
0005472172.tif 000007
【図７】
0005472172.tif 000008
【図８】
0005472172.tif 000009